(57)【要約】【課題】電源装置の回路規模を増大させることなく、画像の品質を維持すること。【解決手段】帯電用高電圧電源回路２０２と、一端が帯電用高電圧電源回路２０２に接続されたカップリングコンデンサ２０４と、定着用高電圧電源回路２０３と、転写用高電圧電源回路２０１と、を備え、カップリングコンデンサ２０４は、定着フィルム１０９と転写ローラ１０３とが電気的に接続された際に、転写用高電圧電源回路２０１の直流電圧が帯電用高電圧電源回路２０２に出力されることを遮断する。【選択図】図３
2020204719.tif 000002
【特許請求の範囲】
【請求項１】
交流電圧を出力する交流電源と直流電圧を出力する直流電源とを有し、前記交流電圧と前記直流電圧とを重畳した第１の電圧を第１の負荷に出力する第１の電源と、
一端が前記第１の電源に接続された第１のコンデンサと、
前記第１のコンデンサの他端と接続され、前記第１のコンデンサの前記他端から出力される前記交流電圧を整流平滑した第２の電圧を第２の負荷に出力する第２の電源と、
直流電圧を第３の負荷に出力する第３の電源と、
を備え、
前記第１のコンデンサは、前記第２の負荷と前記第３の負荷とが電気的に接続された際に、前記第３の電源の直流電圧が前記第１の電源に出力されることを遮断することを特徴とする電源装置。
【請求項２】
前記第２の電源は、
カソード端子に前記第１のコンデンサの一端が接続された整流用の第１のダイオードと、
アノード端子に前記第１のコンデンサの一端が接続され、カソード端子が接地された整流用の第２のダイオードと、
一端が前記第１のダイオードのアノード端子に接続された第１の抵抗と、
他端が接地された平滑用の第２のコンデンサと、
を有することを特徴とする請求項１に記載の電源装置。
【請求項３】
前記第２の電源は、
カソード端子に前記第１のコンデンサの一端が接続された整流用の第１のダイオードと、
一端に前記第１のコンデンサの一端が接続され、他端が接地された整流用の第２の抵抗と、
一端が前記第１のダイオードのアノード端子に接続された第１の抵抗と、
他端が接地された平滑用の第２のコンデンサと、
を有することを特徴とする請求項１に記載の電源装置。
【請求項４】
前記第２の電源は、
カソード端子に前記第１のコンデンサの一端が接続された整流用の第１のダイオードと、
アノード端子に前記第１のコンデンサの一端が接続された整流用の第２のダイオードと、
一端が前記第１のダイオードのアノード端子に接続された第１の抵抗と、
一端に前記第２のダイオードのカソード端子が接続され、他端が接地された整流用の第２の抵抗と、
他端が接地された平滑用の第２のコンデンサと、
を有することを特徴とする請求項１に記載の電源装置。
【請求項５】
前記第２のコンデンサは、一端が前記第１の抵抗の他端に接続されていることを特徴とする請求項２から請求項４のいずれか１項に記載の電源装置。
【請求項６】
前記第２のコンデンサは、一端が前記第１のダイオードと前記第１の抵抗との接続点に接続され、
一端に前記第１の抵抗の他端が接続され、他端が接地された保護用の第３のコンデンサを有することを特徴とする請求項２から請求項４のいずれか１項に記載の電源装置。
【請求項７】
感光体と、
前記感光体を帯電するための前記第１の負荷である帯電手段と、
前記感光体を露光し静電潜像を形成する露光手段と、
前記静電潜像を現像しトナー像を形成する現像手段と、
前記トナー像を記録紙に転写するための前記第３の負荷である転写手段と、
前記記録紙のトナー像を定着するための前記第２の負荷である定着手段と、
請求項１から請求項６のいずれか１項に記載の電源装置と、
を備えることを特徴とする画像形成装置。
【請求項８】
前記記録紙の一端が前記転写手段に接するとともに前記記録紙の他端が前記定着手段に接しているときに、前記転写手段と前記定着手段とが電気的に接続されることを特徴とする請求項７に記載の画像形成装置。
【発明の詳細な説明】
【技術分野】
【０００１】
本発明は、電源装置及び画像形成装置に関し、特に、電子写真複写機、電子写真プリンタなどの画像形成装置に関する。
【背景技術】
【０００２】
レーザビームプリンタ等の画像形成装置では、帯電装置、現像装置、転写装置、定着器によって構成されたものが主流となっている。帯電装置は、感光ドラム上に電荷を帯電させるための装置である。現像装置は、感光ドラム上にレーザ光等で形成された潜像をトナー像として現像するための装置である。転写装置は、現像されたトナー像を転写材に転写するための装置である。定着器は、転写された未定着のトナー像を転写材上に定着するために交流電源によって駆動されるヒータ等を備えた装置である。これらの帯電装置、現像装置、転写装置には数百〜数千Ｖの高電圧が印加されており、これら高電圧を出力するためにプリント基板上に高電圧電源回路が設けられた高電圧電源基板が備えられている。
【０００３】
帯電装置内にある帯電ローラには、高電圧電源基板により直流の負電圧に交流電圧を重畳した重畳電圧が帯電電圧として印加される。帯電ローラに印加される重畳電圧が放電開始電圧以上になると、帯電ローラから感光ドラムに放電が発生し感光ドラムが帯電され始める。最終的に感光ドラムの表面電位は直流電圧の電位に収束し、均一に帯電される。このとき、何らかの原因により感光ドラムを均一に帯電させることができなかった場合、画像不良が発生してしまうおそれがある。例えば特許文献１では、汚れにより感光ドラムが局所的に帯電不良の状態になると、ハーフトーン画像等において濃度が濃くなる等の画像不良が発生することが課題として示されており、その局所的な帯電不良を抑制する方法が開示されている。また、転写装置内にある転写ローラには、高電圧電源回路より直流の正電圧が転写電圧として印加される。これにより負極性のトナーは感光ドラム上から記録紙側に引き寄せられ、記録紙上に転写される。
【０００４】
定着装置内にある定着フィルムには、直流の負電圧が定着電圧として印加されることで負極性のトナーが記録紙側へ引き寄せられる。この引き寄せる力は定着尾引き現象という画像不良に対して効果がある。定着尾引き現象とは、記録紙に含まれる水分が加熱され水蒸気に変わる際に未定着のトナー像が飛散することで発生する画像不良である。例えば特許文献２ではガラスコーティングされたヒータに交流電圧が印加されている構成下において、吸湿した記録材で印刷を行うと、定着尾引きによる画像不良と転写電圧の変動による画像不良とが発生することが示されている。例えば特許文献２には、定着尾引きによる画像不良と転写電圧の変動による画像不良とを改善する方法が開示されている。
【０００５】
更に、定着電圧を生成する高電圧出力手段として、帯電電圧や現像電圧等を生成している高電圧電源回路を共用することがある。例えば特許文献３では帯電電圧と定着電圧を抵抗によって分離する方法で帯電装置と定着装置の高電圧電源回路の共用化を行い、装置の小型化及びコストダウンを達成しつつ、定着尾引き現象などを改善する方法が開示されている。また例えば特許文献４では、高電圧電源回路に１つのトランスで直流電圧に交流電圧を重畳させた重畳電圧を生成する回路構成例が開示されている。この回路の中には出力電圧値の情報をトランスの２次側から１次側にフィードバックしない簡易な構成もある。これはトランスの２次側に構成された２つの抵抗の定数の比率と、１次側の制御回路部に入力されるＰＷＭ信号のデューティー比に基づき出力電圧が決定される仕組になっている。
【先行技術文献】
【特許文献】
【０００６】
【特許文献１】特開２００７−０９３９２２号公報
【特許文献２】特開２００６−１９５００３号公報
【特許文献３】特開２００５−１０７２３７号公報
【特許文献４】特開２００４−０４０８９１号公報
【発明の概要】
【発明が解決しようとする課題】
【０００７】
印刷時に定着電圧が印加された定着フィルムと、転写電圧が印加された転写ローラとの両方に、１枚の記録紙が接触する状況がある。このとき、記録紙が持つ抵抗成分によって転写ローラと定着フィルムとが電気的に接続されてしまい、電流が流れる経路が発生する。帯電電圧等を出力する高電圧電源回路を、定着電圧を出力する高電圧電源回路として共用していた場合、従来の回路構成では転写ローラから記録紙を通じて、定着電圧と共用している帯電電圧等を出力する高電圧電源回路まで電流が流れてしまう。上述した出力電圧値の情報のフィードバックを行わない簡易な構成の高電圧電源回路では、この電流は高電圧電源回路にある出力電圧値を決定している抵抗に流れる。この抵抗に電流が流れることで帯電電圧の電圧値が変化してしまう。流れる電流量を決定する要素は、帯電電圧と定着電圧の電圧値だけでなく、記録紙が両電圧に接触する期間やタイミング、記録紙の素材、記録紙が含有する水分量等、記録紙が持つパラメータよっても左右される。このため、流れる電流量を一意の値に固定したり予測したりすることは難しい。電流量の変化により帯電電圧の電圧値が変化してしまうと、感光ドラムが均一に帯電できなくなるため、感光ドラムが帯電不良を起こすおそれがある。上述した通り帯電不良の状態になると、ハーフトーン画像等において濃度が濃くなる等の画像不良が発生するおそれがある。このような課題は、帯電電圧等の電圧生成回路にフィードバック回路を配置し、帯電電圧の電圧値を設計値に安定させることができれば解決できる。ただし、フィードバック回路を配置することにより回路規模が大きくなってしまい、本来の目的である装置の小型化が達成できなくなってしまうという課題がある。
【０００８】
本発明は、このような状況のもとでなされたもので、電源装置の回路規模を増大させることなく、画像の品質を維持することを目的とする。
【課題を解決するための手段】
【０００９】
上述した課題を解決するために、本発明は、以下の構成を備える。
【００１０】
（１）交流電圧を出力する交流電源と直流電圧を出力する直流電源とを有し、前記交流電圧と前記直流電圧とを重畳した第１の電圧を第１の負荷に出力する第１の電源と、一端が前記第１の電源に接続された第１のコンデンサと、前記第１のコンデンサの他端と接続され、前記第１のコンデンサの前記他端から出力される前記交流電圧を整流平滑した第２の電圧を第２の負荷に出力する第２の電源と、直流電圧を第３の負荷に出力する第３の電源と、を備え、前記第１のコンデンサは、前記第２の負荷と前記第３の負荷とが電気的に接続された際に、前記第３の電源の直流電圧が前記第１の電源に出力されることを遮断することを特徴とする電源装置。
【００１１】
（２）感光体と、前記感光体を帯電するための前記第１の負荷である帯電手段と、前記感光体を露光し静電潜像を形成する露光手段と、前記静電潜像を現像しトナー像を形成する現像手段と、前記トナー像を記録紙に転写するための前記第３の負荷である転写手段と、前記記録紙のトナー像を定着するための前記第２の負荷である定着手段と、前記（１）に記載の電源装置と、を備えることを特徴とする画像形成装置。
【発明の効果】
【００１２】
本発明によれば、電源装置の回路規模を増大させることなく、画像の品質を維持することができる。
【図面の簡単な説明】
【００１３】
【図１】実施例１〜３の画像形成装置を示す断面図、印刷時の用紙を示す要部概略断面図
【図２】実施例１〜３の回路機能を示すブロック図
【図３】実施例１の電源装置の回路図
【図４】実施例２の電源装置の回路図
【図５】実施例２の他の電源装置の回路図
【図６】実施例３の電源装置の回路図
【発明を実施するための形態】
【００１４】
以下に、本発明の実施の形態について図面を参照しながら詳細に説明する。
【実施例１】
【００１５】
［画像形成装置の概略構成例］
図１（ａ）は電子写真記録技術を用いた画像形成装置１００の断面図である。給紙カセット１１８に積載された記録紙である用紙１１２は、ピックアップローラ１１３によって１枚だけ給紙カセット１１８から送出され、給紙ローラ１１４によってレジストレーションローラ（以下、レジストローラという）１１５に向けて搬送される。さらに用紙１１２は、レジストローラ１１５によって所定のタイミングでカートリッジ１０６へ搬送される。カートリッジ１０６は、帯電手段である帯電ローラ１０１、現像手段である現像ローラ１０２、クリーニング手段であるクリーナ１０５、及び電子写真感光体（感光体）である感光ドラム１０４で一体的に構成されている。公知である電子写真プロセスの一連の処理によって未定着トナー像が用紙１１２上に形成される。感光ドラム１０４は、帯電ローラ１０１によって表面を一様に帯電された後、露光手段であるスキャナユニット１０７により画像信号に基づいた像露光が行われる。スキャナユニット１０７から出射されるレーザ光１０８は、感光ドラム１０４に走査され、感光ドラム１０４の表面上に２次元の潜像（静電潜像）が形成される。感光ドラム１０４の潜像は現像ローラ１０２によってトナー像として可視化され、トナー像は転写手段である転写ローラ１０３によって、レジストローラ１１５から搬送されてきた用紙１１２上に転写される。
【００１６】
続いて、トナー像が転写された用紙１１２は、定着手段である定着装置１１１に搬送されると、加熱加圧処理され、用紙１１２上の未定着のトナー像が用紙１１２に定着される。定着装置１１１は、定着フィルム１０９と定着加圧ローラ１１０とを有している。用紙１１２はさらに中間排出ローラ１１６、排出ローラ１１７によって画像形成装置１００の本体外に排出され、一連のプリント動作を終える。
【００１７】
画像形成装置１００は電力供給装置１１９を有し、電力供給装置１１９は画像形成装置１００で用いられる電力を各部に供給する。交流電源等から供給される交流電圧は、電源ケーブル（不図示）を介して、電力供給装置１１９に接続されている。電力供給装置１１９は、交流電源等から得られた電力を高電圧電源基板や定着装置１１１等でそれぞれ使用する電圧値及び電圧波形に変換し供給する。高電圧電源基板は電力供給装置１１９から供給された電力をさらに変換し、数百Ｖから数キロＶの高電圧を生成し、帯電ローラ１０１、現像ローラ１０２、転写ローラ１０３等に印加している。
【００１８】
［高電圧電源構成及び電圧の概略構成例］
図２は実施例１の回路機能を表すブロック図である。図２では、電源装置である高電圧電源基板２００内に複数ある電圧の代表として転写・帯電・定着の３つを表記しているが、他にも現像やクリーニングブレード等の高電圧電源回路（不図示）が存在する。図２において高電圧電源基板２００には電力供給装置１１９から例えば直流電圧２４Ｖが供給されており、転写用高電圧電源回路２０１と帯電用高電圧電源回路２０２は、直流電圧２４Ｖを昇圧することで、各電圧に適した電圧を生成する。帯電用高電圧電源回路２０２の出力には、帯電ローラ１０１と並列にカップリングコンデンサ２０４が接続されている。カップリングコンデンサ２０４のもう一つの端子は、定着用高電圧電源回路２０３の入力部に接続されている。このような接続構成で、帯電電圧用の高電圧を定着用高電圧電源回路２０３に供給し、定着電圧用の高電圧が生成される。
【００１９】
転写用高電圧電源回路２０１により生成された高電圧は高電圧電源基板２００上に設けられた接点２０５を介して転写ローラ１０３に転写電圧として供給される。帯電用高電圧電源回路２０２により生成された高電圧は高電圧電源基板２００上に設けられた接点２０６を介して帯電ローラ１０１に帯電電圧として供給される。定着用高電圧電源回路２０３により生成された高電圧は高電圧電源基板２００上に設けられた接点２０７を介して定着フィルム１０９に定着電圧として供給される。
【００２０】
また、抵抗２０８は用紙１１２が持つ抵抗成分を表しており、以下、用紙１１２の抵抗成分２０８という。図２の破線は、転写ローラ１０３と定着フィルム１０９とが用紙１１２の持つ抵抗成分２０８によって電気的に接続された状況を表している。すなわち図２は、用紙１１２の一端が転写ローラ１０３に接するとともに用紙１１２の他端が定着フィルム１０９に接しているときに、転写ローラ１０３と定着フィルム１０９とが電気的に接続されることを表している。
【００２１】
次に図１（ｂ）は画像形成装置１００の構成の一部分を抜き出し、用紙１１２が搬送されている状況を表した印刷時の概略断面図である。図１（ｂ）の帯電ローラ１０１、現像ローラ１０２、転写ローラ１０３、定着フィルム１０９、クリーナ１０５には、高電圧電源基板２００上にあるそれぞれの高電圧電源回路から出力された高電圧が印加されている。図１（ｂ）において用紙１１２は端部の片端（以下、一端という）が感光ドラム１０４と転写ローラ１０３とによって挟まれている。用紙１１２は端部のもう片端（以下、他端という）が定着フィルム１０９と定着加圧ローラ１１０とによって挟まれている。感光ドラム１０４と転写ローラ１０３とのニップ部を転写部、定着フィルム１０９と定着加圧ローラ１１０とのニップ部を定着部という。
【００２２】
［回路構成］
図３は実施例１の回路構成を表す回路図である。第１の電源である帯電用高電圧電源回路２０２は、交流電源４０１と直流電源４００を有する。交流電源４０１は帯電用高電圧電源回路２０２の出力電圧の交流成分（以下、交流電圧という）を出力し、直流電源４００は帯電用高電圧電源回路２０２の出力電圧の直流成分（以下、直流電圧という）を出力する。このように、帯電用高電圧電源回路２０２は、直流電圧と交流電圧とを重畳した波形の第１の電圧（以下、出力電圧という）を出力する回路構成になっている。帯電用高電圧電源回路２０２の出力電圧は、第１の負荷である帯電ローラ１０１と、第２の電源である定着用高電圧電源回路２０３に供給される。
【００２３】
定着用高電圧電源回路２０３に電圧が供給される経路上には、直列に第１のコンデンサであるカップリングコンデンサ２０４が配置されている。すなわち、帯電用高電圧電源回路２０２と定着用高電圧電源回路２０３との間にはカップリングコンデンサ２０４が接続されている。このため、帯電用高電圧電源回路２０２の出力電圧は、定着用高電圧電源回路２０３に伝達する際に容量性のカップリングが起きる。容量性のカップリングが起きることで、帯電用高電圧電源回路２０２の出力電圧の直流電圧は遮断され、交流電圧は通過する。これにより、帯電用高電圧電源回路２０２の出力電圧の交流成分である交流電圧のみが、カップリングコンデンサ２０４を介して定着用高電圧電源回路２０３に入力される。
【００２４】
（定着用高電圧電源回路）
定着用高電圧電源回路２０３は、グランド（以下、ＧＮＤとする）側の整流用ダイオード４０２、整流用ダイオード４０３、保護抵抗４０４、平滑用のコンデンサ（以下、平滑用コンデンサという）４０５を有する。詳細には、第２のダイオードであるＧＮＤ側の整流用ダイオード４０２は、アノード端子にカップリングコンデンサ２０４が接続され、カソード端子は接地されている。第１のダイオードである整流用ダイオード４０３は、カソード端子にカップリングコンデンサ２０４が接続され、アノード端子に第１の抵抗である抵抗４０４の一端が接続されている。抵抗４０４は、他端に第２のコンデンサである平滑用コンデンサ４０５の一端が接続されている。平滑用コンデンサ４０５は他端が接地されている。
【００２５】
定着用高電圧電源回路２０３は、帯電用高電圧電源回路２０２からカップリングコンデンサ２０４を介して入力された交流電圧を、整流用ダイオード４０３と平滑用コンデンサ４０５によって整流平滑して直流電圧に変換する。これにより定着用高電圧電源回路２０３は、カップリングコンデンサ２０４に遮断されることなく、第２の負荷である定着フィルム１０９に第２の電圧である直流電圧を供給することができる。
【００２６】
（転写用高電圧電源回路）
第３の電源である転写用高電圧電源回路２０１は直流電源４０６を有し、直流電源４０６は直流電圧を出力する。転写用高電圧電源回路２０１は、第３の負荷である転写ローラ１０３に直流電圧を供給する。上述したように、１枚の用紙１１２が転写部及び定着部で挟持されると（図１（ｂ）参照）、図３に示すように用紙１１２の抵抗成分２０８を介して転写用高電圧電源回路２０１と定着用高電圧電源回路２０３とが接続される。このような場合でも、帯電用高電圧電源回路２０２の出力電圧の直流成分である直流電圧と同様に、転写用高電圧電源回路２０１の出力電圧の直流成分である直流電圧も、カップリングコンデンサ２０４によって遮断される。これにより、転写ローラ１０３と定着フィルム１０９とが用紙１１２で接続された状態でも、転写用高電圧電源回路２０１から帯電用高電圧電源回路２０２に電流は流れ込まない。帯電用高電圧電源回路２０２に電流が流れ込まないため、フィードバック手段を設けなくても、出力電圧の安定化を図ることができ、簡易な構成で帯電不良が発生することを防ぐことができる。
【００２７】
実施例１は、定着用高電圧電源回路２０３の交流成分を平滑化する部分に整流用ダイオード４０３とＧＮＤ側の整流用ダイオード４０２と平滑用コンデンサ４０５を用いた構成である。本構成では整流用ダイオード４０２、４０３の向きを図３のように配置することで、通過する交流電圧の電圧振幅値分の負電圧が定着電圧として出力される、全波整流回路を形成している。定着電圧として出力される電圧は、通過する交流電圧の負側の電圧振幅値から保護抵抗４０４で消費される電圧値と整流用ダイオード４０２、４０３の順方向電圧とを減じた電圧が供給される。また、保護抵抗４０４は定着フィルム１０９に印加される外来ノイズの雷サージから整流用ダイオード４０２、４０３や平滑用コンデンサ４０５、帯電用高電圧電源回路２０２を保護するためのものである。
【００２８】
以上説明したように、帯電電圧等を出力する高電圧電源回路を、定着電圧を出力する高電圧電源回路として共用する場合、転写ローラから記録紙を介して共通化されている高電圧電源回路に流れ込む電流量を抑制できる。これにより簡易な構成で帯電不良に起因する濃度むら等の画像不良の発生を抑制できる。
【００２９】
以上、実施例１によれば、電源装置の回路規模を増大させることなく、画像の品質を維持することができる。
【実施例２】
【００３０】
［回路構成］
実施例２の構成は実施例１の構成のＧＮＤ側の整流用ダイオード４０２を整流用抵抗５００に置き換えたものである。図４は実施例２の回路構成を表す回路図であり、実施例１の回路構成と同じ構成には同じ符号を付し説明を省略する。第２の抵抗である整流用抵抗５００は、一端にカップリングコンデンサ２０４が接続され、他端が接地されている。ＧＮＤ側の整流用ダイオード４０２から整流用抵抗５００に置き換わることで、定着用高電圧電源回路２０３が全波整流から半波整流の回路構成に変わる。これにより、定着電圧の絶対値は低下してしまうが、高価な高電圧ダイオードを減らすことができるため、回路に掛かるコストを下げる効果がある。
【００３１】
また、実施例１の構成ではカップリングコンデンサ２０４からＧＮＤ側の整流用ダイオード４０２を経由して電流が流れるが、その経路のインピーダンスが低いため、ＧＮＤ側の整流用ダイオード４０２がオンする際に突入電流が流れる。突入電流のような電流の急激な変動は、放射性ノイズの増加や電流経路次第では画像不良を発生させるおそれがあるため、電流の急激な変動が発生しないようにすることが望ましい。実施例２の構成は、このような突入電流の経路のＧＮＤ側の整流用ダイオード４０２が整流用抵抗５００になっている。このため、実施例２の構成では、インピーダンスが高く、電流の急激な変動は発生しづらくなる。したがって、放射性ノイズの増加や画像不良も発生しづらくなる。
【００３２】
［変形例の回路構成］
実施例２の内容は抵抗に置き換えることに限定するものではなく、例えば実施例１の構成と組み合わせて使用しても良い。例えば、図５は実施例１の構成と実施例２の構成を組み合わせた回路構成を示す図であり、実施例１の回路構成と同じ構成には同じ符号を付し説明を省略する。図５に示すように、整流用抵抗５００とＧＮＤ側の整流用ダイオード４０２とを直列に接続してもよい。具体的には、ＧＮＤ側の整流用ダイオード４０２はアノード端子にカップリングコンデンサ２０４が接続され、カソード端子に整流用抵抗５００の一端が接続される。整流用抵抗５００は他端が接地される。このような構成とすることで、ＧＮＤ側の整流用ダイオード４０２がオン（導通）する際に流れる突入電流のピーク値を整流用抵抗５００によって緩和させつつ、ＧＮＤ側の整流用ダイオード４０２によって整流を行うことができる。これにより必要な定着電圧を確保しながら、突入電流の発生を緩和することができる。
【００３３】
以上、実施例２によれば、電源装置の回路規模を増大させることなく、画像の品質を維持することができる。
【実施例３】
【００３４】
［回路構成］
実施例３は実施例１及び実施例２の構成から平滑用コンデンサ４０５の位置を変え、保護用のコンデンサ（以下、保護用コンデンサという）７００を追加した構成である。図６は実施例３の回路図を示しており、実施例１の回路構成と同じ構成には同じ符号を付し説明を省略する。実施例３では、ダイオードのアノード側とＧＮＤ電位との間に保護用コンデンサ７００を配置することが特徴である。具体的には、平滑用コンデンサ４０５は、一端に整流用ダイオード４０３のアノード端子と保護抵抗４０４の一端との接続点が接続され、他端が接地される。第３のコンデンサである保護用コンデンサ７００は、一端に保護抵抗４０４の他端が接続され、他端が接地される。
【００３５】
上述したとおり、定着装置１１１にガラスコーティングのヒータが用いられている場合、定着電圧と同電位のラインに接続された保護用コンデンサ７００は雷サージが印加されたときの保護素子の役割を担っている場合がある。保護用コンデンサ７００が保護素子の役割を担っている場合、それにより容量値に制限が発生してしまうことがある。そのため、雷サージから保護することを優先すると、定着装置１１１の仕様や消費される電流量次第では、帯電等の交流出力に起因するリプル電圧を平滑化するには不十分な容量値となってしまう場合がある。定着電圧に過剰なリプル電圧が印加された場合、定着尾引きを抑制する効果が低下し、画像不良が発生するおそれがある。
【００３６】
そこで、定着電圧から保護抵抗４０４を介した位置に平滑用コンデンサ４０５を配置し、雷サージから定着装置１１１を保護する役割を、保護用コンデンサ７００に担わせる。これにより、定着装置１１１の仕様によらず、平滑用コンデンサ４０５の容量値を設定することができるようになる。これにより、雷サージから保護する機能を有したまま、リプル電圧を平滑化し、画像不良等の発生を抑制することができる。なお、実施例３の平滑用コンデンサ４０５の配置及び保護用コンデンサ７００の構成は、実施例２にも適用可能である。
【００３７】
以上、実施例３によれば、電源装置の回路規模を増大させることなく、画像の品質を維持することができる。
【符号の説明】
【００３８】
２０１    転写用高電圧電源回路
２０２    帯電用高電圧電源回路
２０３    定着用高電圧電源回路
２０４    カップリングコンデンサ
【図１】
2020204719.tif 000003
【図２】
2020204719.tif 000004
【図３】
2020204719.tif 000005
【図４】
2020204719.tif 000006
【図５】
2020204719.tif 000007
【図６】
2020204719.tif 000008